(57)【要約】【課題】この出願発明は、これまで使用できずに宝石箱にしまい込まれていた指輪を装飾品として再び使用することを目的とする。【解決手段】この出願発明は、指輪に装飾物が取り付けられている装飾品に関する。【選択図】      図１
2004313575.tif 000002
【特許請求の範囲】
【請求項１】
指輪に装飾物が取り付けられていることを特徴とする装飾品。
【請求項２】
装飾品が装飾用装身具であることを特徴とする請求項１に記載の装飾品。
【請求項３】
装飾物が天使であることを特徴とする請求項１または２に記載の装飾品。
【請求項４】
指輪が使用された指輪であることを特徴とする請求項１〜３のいずれかに記載の装飾品。
【請求項５】
指輪が結婚指輪であることを特徴とする請求項１〜４のいずれかに記載の装飾品。
【請求項６】
指輪に装飾物を取り付けることを特徴とする請求項１〜５のいずれかに記載の装飾品の製造方法。
【発明の詳細な説明】
【０００１】
【発明の属する技術分野】この出願発明は、指輪に装飾物を取り付けた装飾品に関する。
【０００２】
【従来の技術】指輪は所有率の高い装飾品であり、指輪は本来の用途である指輪として指に装着されている。
しかし、サイズが合わなくなり指輪として使用できなくなると、指輪はそのまま宝石箱にしまわれて、本来の装飾品としての機能を失っている。
とくに、記念の指輪、たとえば、婚約指輪、結婚指輪の場合には、指輪を切断して新たな金属を加えて拡げること、あるいは、指輪を溶かして他の装飾品に作り替えることが縁起の上から嫌われており、本来は身につけたいにもかかわらず身につけることができないという問題があった。
【０００３】
【発明が解決しようとする課題】この出願発明は、このような問題を解決するものであり、この出願発明者は指輪、とくに、使用された指輪、なかでも、婚約指輪、結婚指輪を装飾することにより装飾品、好ましくは指輪以外の装飾用装身具、とくに、ペンダント、ブローチ、ネクタイピンを開発することによりこの問題を解決した。
【０００４】
【課題を解決するための手段】この出願発明は、指輪に装飾物が取り付けられている装飾品に関する。
【０００５】
【発明の実施の形態】この出願発明の装飾品は、たとえば、装飾用装身具、室内装飾品などが好ましいが、装飾用装身具がとくに好ましい。
【０００６】
装飾用装身具、たとえば、ペンダント、ブローチ、ネクタイピン、イヤリング、キーホルダーなどとくに限定されないが、ペンダント、ブローチ、ネクタイピンがとくに好ましい。
【０００７】
また、ペンダント、ブローチ、ネクタイピンはそれらを兼用するものであってもよい。
ペンダント、ネクタイピンとブローチに兼用する場合には、たとえば、装飾された指輪を、取付金具にチェーンを通すことによりペンダントとし、また、チェーンを外してピンを利用して使用することによりネクタイピンあるいはブローチとして使用してもよい。
また、吊り金具にチェーンが付いており適当に装飾された枠に収容してペンダントとして使用し、ネクタイピンあるいはブローチとして利用する場合には枠から外してピンを利用して装着することにより、全く異なる印象を与えるようにしてもよい。
【０００８】
室内装飾品としては、たとえば、置物、時計、宝石箱、ホルダーなどの装飾として、また、リングホルダーに掛けて利用することができる。
【０００９】
この出願発明の指輪は宝石のつかないもの、宝石のつくものなどとくに限定されないが、宝石の付かないものがとくに好ましい。
【００１０】
また、指輪は使用されたものが好ましいが、記念の指輪であることが好ましい。
記念の指輪としては、結婚指輪、婚約指輪であることがより好ましく、結婚指輪であることがとくに好ましい。
【００１１】
指輪には、装飾用の物品である装飾物が取り付けられており、装飾物としてはとくに限定されないが、天使、動物、人形、鳥、花、月、星などが好ましく、婚約指輪、結婚指輪を利用する場合には、天使が取り付けられていることがとくに好ましい。
また、指輪の内側に、たとえば、貝、石などをはめ込んでもよいし、さらに、指輪の周囲に、天使、動物、人形、鳥、花、月、星などを取り付けてもよい。
【００１２】
天使はどのようなポーズでもよいが、指輪に捕まっているもの、指輪に座っているもの、手を広げたもの、飛んでいるものなどが好ましい。
また、動物としては、馬、ピューマ、犬などが好ましい。
さらに、これらは動物が躍動している全身の構図であってもよいし、たとえば、頭部の部分などのように部分の構図であってもよい。
【００１３】
【実施例】
以下、実施例によって、この出願発明を具体的に説明するが、この出願発明はこれらの実施例に限定されるものではない。
図１は、この出願発明のペンダント兼ブローチ兼ネクタイピンの正面図であり、図２は、図１の側面図であり、図３は、この出願発明のペンダント兼ブローチの正面図であり、図４は、図３の側面図であり、図５は、この出願発明の他のペンダントの正面図であり、図６は、この出願発明の他のペンダントの正面図であり、１は指輪を、２はペンダント兼ブローチ兼ネクタイピンを、３は装飾物を、４は吊り金具を、５は針を、６はキャッチを、７はペンダント兼ブローチ、８は貝をそれぞれ示す。
【００１４】
実施例１
結婚指輪の上部に、立っている姿の天使の装飾物を取り付け、天使の後ろに吊り下げ金具を取り付ける。さらに、その下にピンを固定するキャッチを取り付けることにより図１、図２に示すペンダント兼ブローチ兼ネクタイピンである装飾品を作製する。
この装飾品をペンダントとして使用するときは、吊り下げ金具にチェーンを通して使用する。
また、ネクタイピンあるいはブローチとして使用するときは、そのままピンによってネクタイ、衣服に留めて使用する。
【００１５】
実施例２
結婚指輪に貝をはめ込み、指輪の上部に馬の首の部分の装飾物を取り付け、馬の髪の部分の後ろに吊り下げ金具を取り付ける。さらに、吊り下げ金具の下にピンを固定するキャッチを取り付けることにより図３、図４に示すペンダント兼ブローチである装飾品を作製する。
ペンダントとして使用するときは、吊り下げ金具にチェーンを通して使用する。
また、ブローチとして使用するときは、そのままピンによって衣服に留める。
【００１６】
実施例３
結婚指輪の下部に座っている姿の天使の装飾物を取り付け、指輪の上部に吊り下げ金具を取り付ける。
吊り下げ金具にチェーンを通してペンダントとして使用する。
同様にして、動物が走っている姿の装飾物を指輪の中央部に取り付けることによりペンダントを作製する。
【００１７】
【発明の効果】この出願発明により、これまで使用できずに宝石箱にしまい込まれていた指輪を装飾品として再び使用することができる。
また、本来の指輪の形状を残しているので、記念品であることを思い出すことができ、当時の思い出に耽ることもできる。とくに、天使で装飾されている場合は、とくに思い出しやすいので好ましい。
また、指輪の内側には記念の日が刻印されているので、記念の日を確認することができる。
【図面の簡単な説明】
【図１】この出願発明のペンダント兼ブローチ兼ネクタイピンの正面図。
【図２】図１の側面図。
【図３】この出願発明のペンダント兼ブローチの正面図。
【図４】図３の側面図。
【図５】この出願発明の他のペンダントの正面図。
【図６】この出願発明の他のペンダントの正面図。
【符号の簡単な説明】
１  指輪
２  ペンダント兼ブローチ兼ネクタイピン
３  装飾物
４  吊り金具
５  針
６  キャッチ
７  ペンダント兼ブローチ
８  貝
【図１】
2004313575.tif 000003
【図２】
2004313575.tif 000004
【図３】
2004313575.tif 000005
【図４】
2004313575.tif 000006
【図５】
2004313575.tif 000007
【図６】
2004313575.tif 000008